(57)【要約】【課題】１個の紙幣収納繰出カセットを増設するだけで、一時保留処理や精査処理を行うことができる機能を選択的に追加することができる紙幣釣銭機を提供する。【解決手段】分岐搬送部２６に着脱自在に接続可能な接続口２２ａを有する紙幣収納繰出カセット２２が釣銭機１０に設けられている。紙幣収納繰出カセット２２は、接続口２２ａが分岐搬送部２６に接続されたときに、分岐搬送部２６から接続口２２ａを介して送られた紙幣を収納するとともに収納された紙幣を接続口２２ａを介して分岐搬送部２６に繰り出すようになっている。制御部７０ｃは、紙幣収納繰出カセット２２の接続口２２ａが分岐搬送部２６に接続されたときに、一時保留処理または精査処理のうち少なくともいずれか一方の処理を行う。【選択図】図４
2011113372.tif 000002
【特許請求の範囲】
【請求項１】
紙幣を入金するための入金口と、
紙幣を出金するための出金口と、
紙幣を金種別に収納する複数の金種別収納庫と、
前記入金口、前記出金口および前記各金種別収納庫の間で紙幣を搬送する搬送部と、
前記搬送部に設けられ、当該搬送部により搬送される紙幣を識別する識別部と、
前記搬送部から分岐して設けられ、機体外部との間で紙幣の受け渡しを行うよう紙幣を搬送する分岐搬送部と、
前記分岐搬送部に着脱自在に接続可能な接続口を有する紙幣収納繰出カセットであって、前記接続口が前記分岐搬送部に接続されたときに、前記分岐搬送部から前記接続口を介して送られた紙幣を収納するとともに収納された紙幣を前記接続口を介して前記分岐搬送部に繰り出すことができる紙幣収納繰出カセットと、
少なくとも前記搬送部、前記分岐搬送部および前記紙幣収納繰出カセットの制御を行う制御部であって、前記紙幣収納繰出カセットの前記接続口が前記分岐搬送部に接続されたときに、（ａ）前記入金口により入金された紙幣を前記紙幣収納繰出カセットに一時的に保留し、その後保留された紙幣を前記各金種別収納庫に金種別に収納させるような一時保留処理、または（ｂ）前記各金種別収納庫に収納された紙幣を前記紙幣収納繰出カセットに一旦送り、その後前記紙幣収納繰出カセットに収納された紙幣を前記各金種別収納庫に戻し、前記紙幣収納繰出カセットに紙幣を送る際または前記各金種別収納庫に紙幣を戻す際に前記識別部により紙幣の計数を行うような精査処理、のうち少なくともいずれか一方の処理を行う制御部と、
を備えたことを特徴とする紙幣釣銭機。
【請求項２】
前記紙幣収納繰出カセットは、テープのみを巻き取る第１の巻き取りローラと、テープの間に紙幣を挟んだ状態でテープと紙幣とを一括して巻き取る第２の巻き取りローラとを有し、前記第１の巻き取りローラおよび前記第２の巻き取りローラの間でテープの巻き取りおよび巻き戻しが行われることにより紙幣の収納および繰り出しが行われるようになっていることを特徴とする請求項１記載の紙幣釣銭機。
【請求項３】
前記制御部は、前記紙幣収納繰出カセットの前記接続口が前記分岐搬送部に接続されたときに、前記紙幣収納繰出カセットに予め収納された紙幣を前記各金種別収納庫に補充するような補充処理も行うことを特徴とする請求項１または２記載の紙幣釣銭機。
【請求項４】
前記制御部は、前記紙幣収納繰出カセットの前記接続口が前記分岐搬送部に接続されたときに、前記各金種別収納庫に収納された紙幣を前記紙幣収納繰出カセットに送りこの紙幣収納繰出カセットに送られた紙幣を回収するような回収処理も行うことを特徴とする請求項１乃至３のいずれか一項に記載の紙幣釣銭機。
【請求項５】
前記制御部は、前記紙幣収納繰出カセットの前記接続口が前記分岐搬送部に接続されたときに、前記入金口により入金され前記識別部により識別された紙幣について、当該紙幣の金種に対応する前記金種別収納庫がフル状態であるときにこの紙幣を前記紙幣収納繰出カセットに送るようなオーバーフロー処理も行うことを特徴とする請求項１乃至４のいずれか一項に記載の紙幣釣銭機。
【請求項６】
前記制御部は、前記紙幣収納繰出カセットの前記接続口が前記分岐搬送部に接続されたときに、前記入金口により入金され前記識別部により識別された紙葉類のうち、前記金種別収納庫に収納できない異常紙幣、または紙幣以外の有価媒体を前記紙幣収納繰出カセットに送るような特殊券回収処理も行うことを特徴とする請求項１乃至５のいずれか一項に記載の紙幣釣銭機。
【請求項７】
前記紙幣釣銭機は、機体本体が載置される架台部を更に備え、前記紙幣収納繰出カセットは前記架台部に着脱自在に装着されるようになっていることを特徴とする請求項１乃至６のいずれか一項に記載の紙幣釣銭機。
【発明の詳細な説明】
【技術分野】
【０００１】
本発明は、紙幣が入金されるとともに、釣銭としての紙幣を出金する紙幣釣銭機に関し、とりわけ、１個の紙幣収納繰出カセットを増設するだけで一時保留処理や精査処理の機能を追加することができる紙幣釣銭機に関する。
【背景技術】
【０００２】
従来から、紙幣が入金されるとともに、釣銭としての紙幣を出金する紙幣釣銭機として、様々な種類のものが知られている。例えば、特許文献１には、紙幣を入金するための入金口と、紙幣を出金するための出金口と、紙幣を金種別に収納する複数の金種別収納庫と、入金口、出金口および各金種別収納庫の間で紙幣を搬送する搬送部と、搬送部により搬送される紙幣を識別する識別部と、を備えた紙幣処理装置が開示されている。
【０００３】
また、銀行等の金融機関で使用される紙幣入出金機としては、紙幣を収納するとともに収納された紙幣を繰り出すことができる紙幣収納繰出カセットを機体本体に増設することができるものが知られている（例えば、特許文献２、３等参照）。このような紙幣入出金機によれば、紙幣収納繰出カセットを増設することによって扱える金種の数を増加させたり、特定金種の紙幣の収納量を増加させることができるようになっていた。
【先行技術文献】
【特許文献】
【０００４】
【特許文献１】特許第４０６４１３７号
【特許文献２】特許第３３６８３４７号
【特許文献３】特開２００１−２３６５４２号公報
【発明の概要】
【発明が解決しようとする課題】
【０００５】
従来では、例えば特許文献２、３等に示すような、紙幣収納繰出カセットを増設可能なタイプの紙幣入出金機を用いた場合であっても、この紙幣収納繰出カセットは紙幣の入金処理時や出金処理時において入金庫や出金庫として用いられるに過ぎなかった。
【０００６】
一方、最近では、紙幣釣銭機で一時保留処理や精査処理等の処理を行いたいという要望が一部の顧客で存在する。しかしながら、このような処理を行うための機能を紙幣釣銭機に設けることを特に望まない顧客もいる。このため、紙幣釣銭機に対して一時保留処理等を行うための例えば一時保留部を一律に設置してしまうと装置が高価となってしまい、一時保留処理や精査処理等の処理を行うことを特に望まない顧客にとってこのような一時保留部は無駄なものとなってしまうという問題がある。
【０００７】
本発明は、このような点を考慮してなされたものであり、搬送部から分岐した分岐搬送部に紙幣収納繰出カセットが着脱自在に設けられており、制御部は、紙幣収納繰出カセットの接続口が分岐搬送部に接続されたときに、一時保留処理または精査処理のうち少なくともいずれか一方の処理を行うようになっており、このため１個の紙幣収納繰出カセットを増設するだけで一時保留処理や精査処理の機能を選択的に追加することができる紙幣釣銭機を提供することを目的とする。
【課題を解決するための手段】
【０００８】
本発明は、紙幣を入金するための入金口と、紙幣を出金するための出金口と、紙幣を金種別に収納する複数の金種別収納庫と、前記入金口、前記出金口および前記各金種別収納庫の間で紙幣を搬送する搬送部と、前記搬送部に設けられ、当該搬送部により搬送される紙幣を識別する識別部と、前記搬送部から分岐して設けられ、機体外部との間で紙幣の受け渡しを行うよう紙幣を搬送する分岐搬送部と、前記分岐搬送部に着脱自在に接続可能な接続口を有する紙幣収納繰出カセットであって、前記接続口が前記分岐搬送部に接続されたときに、前記分岐搬送部から前記接続口を介して送られた紙幣を収納するとともに収納された紙幣を前記接続口を介して前記分岐搬送部に繰り出すことができる紙幣収納繰出カセットと、少なくとも前記搬送部、前記分岐搬送部および前記紙幣収納繰出カセットの制御を行う制御部であって、前記紙幣収納繰出カセットの前記接続口が前記分岐搬送部に接続されたときに、（ａ）前記入金口により入金された紙幣を前記紙幣収納繰出カセットに一時的に保留し、その後保留された紙幣を前記各金種別収納庫に金種別に収納させるような一時保留処理、または（ｂ）前記各金種別収納庫に収納された紙幣を前記紙幣収納繰出カセットに一旦送り、その後前記紙幣収納繰出カセットに収納された紙幣を前記各金種別収納庫に戻し、前記紙幣収納繰出カセットに紙幣を送る際または前記各金種別収納庫に紙幣を戻す際に前記識別部により紙幣の計数を行うような精査処理、のうち少なくともいずれか一方の処理を行う制御部と、を備えたことを特徴とする紙幣釣銭機である。
【０００９】
本発明の紙幣釣銭機においては、前記紙幣収納繰出カセットは、テープのみを巻き取る第１の巻き取りローラと、テープの間に紙幣を挟んだ状態でテープと紙幣とを一括して巻き取る第２の巻き取りローラとを有し、前記第１の巻き取りローラおよび前記第２の巻き取りローラの間でテープの巻き取りおよび巻き戻しが行われることにより紙幣の収納および繰り出しが行われるようになっていてもよい。
【００１０】
本発明の紙幣釣銭機においては、前記制御部は、前記紙幣収納繰出カセットの前記接続口が前記分岐搬送部に接続されたときに、前記紙幣収納繰出カセットに予め収納された紙幣を前記各金種別収納庫に補充するような補充処理も行うようになっていてもよい。
【００１１】
本発明の紙幣釣銭機においては、前記制御部は、前記紙幣収納繰出カセットの前記接続口が前記分岐搬送部に接続されたときに、前記各金種別収納庫に収納された紙幣を前記紙幣収納繰出カセットに送りこの紙幣収納繰出カセットに送られた紙幣を回収するような回収処理も行うようになっていてもよい。
【００１２】
本発明の紙幣釣銭機においては、前記制御部は、前記紙幣収納繰出カセットの前記接続口が前記分岐搬送部に接続されたときに、前記入金口により入金され前記識別部により識別された紙幣について、当該紙幣の金種に対応する前記金種別収納庫がフル状態であるときにこの紙幣を前記紙幣収納繰出カセットに送るようなオーバーフロー処理も行うようになっていてもよい。
【００１３】
本発明の紙幣釣銭機においては、前記制御部は、前記紙幣収納繰出カセットの前記接続口が前記分岐搬送部に接続されたときに、前記入金口により入金され前記識別部により識別された紙葉類のうち、前記金種別収納庫に収納できない異常紙幣、または紙幣以外の有価媒体を前記紙幣収納繰出カセットに送るような特殊券回収処理も行うようになっていてもよい。
【００１４】
本発明の紙幣釣銭機においては、機体本体が載置される架台部を更に備え、前記紙幣収納繰出カセットは前記架台部に着脱自在に装着されるようになっていてもよい。
【発明の効果】
【００１５】
本発明の紙幣釣銭機によれば、１個の紙幣収納繰出カセットを増設するだけで、一時保留処理や精査処理を行うことができる機能を選択的に追加することができる。
【図面の簡単な説明】
【００１６】
【図１】本発明の実施の形態による釣銭機の構成を示す斜視図である。
【図２】図１に示す釣銭機の架台部に着脱自在に装着される紙幣収納繰出カセットの構成を示す斜視図である。
【図３】図１に示す釣銭機の架台部に着脱自在に装着される棒金収納部の構成を示す斜視図である。
【図４】図１に示す釣銭機の構成を示す概略構成図である。
【図５】図２に示す紙幣収納繰出カセットにおいて第２の巻き取りローラにより紙幣が巻き取られる状態を示す斜視図である。
【図６】図２に示す紙幣収納繰出カセットの内部の構成を示す概略構成図であって、紙幣が紙幣収納繰出カセットに収納される際の状態を示す図である。
【図７】図２に示す紙幣収納繰出カセットの内部の構成を示す概略構成図であって、紙幣が紙幣収納繰出カセットから繰り出される際の状態を示す図である。
【図８】図１に示す釣銭機において、一時保留処理、精査処理、補充処理、回収処理、オーバーフロー処理、および特殊券回収処理が、どの時間帯に行われるかについて説明している説明図である。
【発明を実施するための形態】
【００１７】
以下、図面を参照して本発明の実施の形態について説明する。図１乃至図８は、本実施の形態に係る釣銭機を示す図である。本実施の形態による釣銭機は、紙幣や硬貨が入金されるとともに、釣銭としての紙幣や硬貨を出金するものである。
【００１８】
図１は、本発明の実施の形態による釣銭機１０の構成を示す斜視図である。図１に示すように、釣銭機１０は、略直方体形状の架台部２０と、左右方向に並ぶよう架台部２０上に載置された紙幣釣銭機本体３０および硬貨釣銭機本体５０と、紙幣釣銭機本体３０や硬貨釣銭機本体５０上に載置されたＰＯＳレジスタ７０とを備えている。
【００１９】
まず、紙幣釣銭機本体３０の構成について図１および図４を用いて説明する。紙幣釣銭機本体３０は、紙幣が挿入される入金口３２と、入金口３２によって受け入れられた紙幣を機内に繰り込む繰込ユニット３４と、繰込ユニット３４に連結され、当該繰込ユニット３４によって繰り込まれた紙幣を搬送する接続搬送部３６ｂと、接続搬送部３６ｂに連結され、当該接続搬送部３６ｂから搬送された紙幣を搬送する周回搬送部３６ａとを有している。なお、この周回搬送部３６ａは、繰込ユニット３４によって繰り込まれた紙幣を搬送する場合には反時計回りの方向に紙幣を搬送し、後述する収納庫４０から繰り出された紙幣を搬送する場合には時計回りの方向に紙幣を搬送するようになっている。
【００２０】
また、図４に示すように、周回搬送部３６ａには、紙幣の金種等を識別する識別部３８が設けられており、周回搬送部３６ａで搬送される紙幣の金種等が識別部３８により識別されるようになっている。また、周回搬送部３６ａには、接続搬送部３６ｂを介して収納庫４０が連結されている。具体的には、収納庫４０は複数（例えば３つ）設けられており、各収納庫４０はそれぞれ対応する接続搬送部３６ｂを介して周回搬送部３６ａに連結されている。各収納庫４０には、識別部３８による識別結果に基づいて金種毎に紙幣が収納されるようになっている。また、各収納庫４０には繰出機構（図示せず）が設けられており、各収納庫４０に収納された紙幣を繰出機構により接続搬送部３６ｂに繰り出すことができるようになっている。
【００２１】
また、図４に示すように、周回搬送部３６ａには、例えば、各収納庫４０内の紙幣を全て、または、売上金相当額だけを回収したい場合等に、収納庫４０から繰り出された紙幣を収納する回収カセット４２が、接続搬送部３６ｂを介して連結されている。この回収カセット４２は、紙幣釣銭機本体３０の前面から手前側に引き出し可能となっている。また、周回搬送部３６ａには、出金時に各収納庫４０から繰り出された紙幣が放出される放出ユニット４４が、接続搬送部３６ｂを介して連結されている。また、この放出ユニット４４には、紙幣を機外へ放出する出金口４６が設けられている。
【００２２】
また、図４に示すように、周回搬送部３６ａからは分岐搬送部３６ｃが分岐しており、この分岐搬送部３６ｃは、紙幣釣銭機本体３０の機体外部との間で紙幣の受け渡しを行うようになっている。
【００２３】
また、図４に示すように、紙幣釣銭機本体３０には紙幣制御部３０ａが設けられている。この紙幣制御部３０ａは後述するＰＯＳレジスタ７０の制御部７０ｃに通信接続されており、制御部７０ｃとの間で信号の送受信を行うようになっている。また、紙幣制御部３０ａは紙幣釣銭機本体３０の各構成要素に接続されており、例えば制御部７０ｃから送られた制御信号に基づいて紙幣制御部３０ａは紙幣釣銭機本体３０の各構成要素の制御を行うようになっている。また、識別部３８による紙幣の金種等の識別結果に係る情報は紙幣制御部３０ａに送られるようになっており、この紙幣制御部３０ａからＰＯＳレジスタ７０の制御部７０ｃにこの情報が送られるようになっている。
【００２４】
次に、硬貨釣銭機本体５０の構成について図１および図４を用いて説明する。硬貨釣銭機本体５０は、硬貨を受け入れる入金口５２と、入金口５２によって受け入れられた硬貨を機内に繰り入れる繰入機構（図示せず）と、繰入機構によって繰り入れられた硬貨を搬送する硬貨搬送部５４と、硬貨搬送部５４に設けられ、硬貨の金種等を識別する識別部５６とを有している。
【００２５】
また、図４に示すように、識別部５６の下流側には、金種別に硬貨を収納する複数（例えば６つ）の収納庫５８が設けられている。なお、複数の収納庫５８は、高額な硬貨ほど、硬貨釣銭機本体５０の前面側に収納されるように構成されている。
【００２６】
また、各収納庫５８には、当該収納庫５８から出金すべき硬貨を繰り出す繰出機構（図示せず）が連結されており、この繰出機構には、当該繰出機構によって繰り出された硬貨を受け入れる出金口６０が連結されている。また、硬貨搬送部５４の識別部５６の下流側であって各収納庫５８と出金口６０の上流側に分岐部６２が設けられている。分岐部６２は、硬貨搬送部５４で搬送された硬貨を収納庫５８に搬送するか、あるいは出金口６０に搬送するかを分けるようになっている。この分岐部６２では、入金時に識別部５６で識別することができなかった硬貨をリジェクト硬貨の返却として出金口６０に戻すようになっている。
【００２７】
また、図４に示すように、硬貨釣銭機本体５０には硬貨制御部５０ａが設けられている。この硬貨制御部５０ａは紙幣釣銭機本体３０の紙幣制御部３０ａに通信接続されており、当該紙幣制御部３０ａを介してＰＯＳレジスタ７０の制御部７０ｃとの間で信号の送受信を行うようになっている。また、硬貨制御部５０ａは硬貨釣銭機本体５０の各構成要素に接続されており、例えば制御部７０ｃから送られた制御信号に基づいて硬貨制御部５０ａは硬貨釣銭機本体５０の各構成要素の制御を行うようになっている。また、識別部５６による硬貨の金種等の識別結果に係る情報は硬貨制御部５０ａに送られるようになっており、この硬貨制御部５０ａから紙幣制御部３０ａを介してＰＯＳレジスタ７０の制御部７０ｃにこの情報が送られるようになっている。
【００２８】
図１乃至図４に示すように、架台部２０には紙幣収納繰出カセット２２および棒金収納部２８が着脱自在に装着されている。より具体的には、紙幣収納繰出カセット２２および棒金収納部２８は、それぞれ架台部２０の前面から手前側に引き出し可能となっている。また、図４に示すように、架台部２０内には、紙幣釣銭機本体３０の分岐搬送部３６ｃに接続された分岐搬送部２６が設けられている。
【００２９】
紙幣収納繰出カセット２２は、分岐搬送部２６に着脱自在に接続可能な接続口２２ａを有している。より詳細には、紙幣収納繰出カセット２２が架台部２０に完全に装着されたときに、紙幣収納繰出カセット２２の接続口２２ａが分岐搬送部２６に接続されるようになっている。紙幣収納繰出カセット２２は、当該紙幣収納繰出カセット２２が架台部２０に完全に装着されて接続口２２ａが分岐搬送部２６に接続されたときに、紙幣釣銭機本体３０の周回搬送部３６ａから分岐搬送部３６ｃおよび分岐搬送部２６を経由して接続口２２ａを介して送られた紙幣を収納するようになっている。また、紙幣収納繰出カセット２２の接続口２２ａが分岐搬送部２６に接続されたときに、紙幣収納繰出カセット２２は、当該紙幣収納繰出カセット２２に収納された紙幣を、接続口２２ａを介して分岐搬送部２６に繰り出すことができるようになっており、繰り出された紙幣は、分岐搬送部２６および分岐搬送部３６ｃを経由して紙幣釣銭機本体３０の周回搬送部３６ａに送られるようになっている。
【００３０】
紙幣収納繰出カセット２２は、テープ巻き取り式のものからなる。このような紙幣収納繰出カセット２２の構成の詳細について図５乃至図７を用いて説明する。図５は、紙幣収納繰出カセット２２において後述する第２の巻き取りローラ２４により紙幣Ｐが巻き取られる状態を示す斜視図であり、図６は、紙幣収納繰出カセット２２の内部の構成を示す概略構成図であって、紙幣Ｐが紙幣収納繰出カセット２２に収納される際の状態を示す図であり、図７は、紙幣収納繰出カセット２２の内部の構成を示す概略構成図であって、紙幣Ｐが紙幣収納繰出カセット２２から繰り出される際の状態を示す図である。
【００３１】
図６および図７に示すように、紙幣収納繰出カセット２２は、テープＴのみを巻き取る第１の巻き取りローラ２３と、一対のテープＴの間に紙幣Ｐを挟んだ状態でテープＴと紙幣Ｐとを一括して巻き取る第２の巻き取りローラ２４とを有している。そして、このような紙幣収納繰出カセット２２において、第１の巻き取りローラ２３と第２の巻き取りローラ２４との間でテープＴの巻き取りおよび巻き戻しが行われることにより紙幣Ｐの収納および繰り出しが行われるようになっている。
【００３２】
より詳細に説明すると、紙幣収納繰出カセット２２の接続口２２ａの内部直近位置には、テープＴがそれぞれ経由する一対のローラ２２ｂが上下に対設されており、上部のローラ２２ｂの奥側および下部のローラ２２ｂの下方側にはそれぞれ第１の巻き取りローラ２３が設けられている。各第１の巻き取りローラ２３は軸２３ａを中心として回転するようになっている。また、一対の第１の巻き取りローラ２３の間の中央位置には第２の巻き取りローラ２４が設けられており、この第２の巻き取りローラ２４は軸２４ａを中心として回転するようになっている。
【００３３】
第２の巻き取りローラ２４に巻かれた一対のテープＴは、それぞれローラ２２ｂおよびローラ２２ｃを経由して各第１の巻き取りローラ２３にそれぞれ導かれるようになっている。テープＴは一軸延伸テープが用いられ、好ましくは表面にシリコン等のコーティングが施されて粘着物付着によるジャミングが発生することがないように形成されている。
【００３４】
図５に示すように、第２の巻き取りローラ２４には、紙幣Ｐの有無を検出するためのセンサＳ１用のスリット２４ｂが周方向に形成されており、１枚でも紙幣Ｐが第２の巻き取りローラ２４に巻き付いている場合にはこのことをセンサＳ１により検出することができるようになっている。
【００３５】
また、図６および図７に示すように、紙幣収納繰出カセット２２内には、紙幣検出用センサＳ２およびテープＴの両終端検出用センサＳ３がそれぞれ設けられている。紙幣検出用センサＳ２により、第２の巻き取りローラ２４に巻き取られた紙幣Ｐや第２の巻き取りローラ２４から巻き戻された紙幣Ｐを１枚ずつ検出することができるようになっている。
【００３６】
紙幣収納繰出カセット２２の接続口２２ａ近傍における分岐搬送部２６は、上下一対のベルト（またはローラ列）から構成されている。
【００３７】
図５乃至図７に示すような紙幣収納繰出カセット２２内に接続口２２ａを介して紙幣Ｐを収納する場合には、第２の巻き取りローラ２４の軸２４ａを図６等における時計回りの方向に回転させることにより第２の巻き取りローラ２４を図６等における時計回りに回転させる。このことにより、第２の巻き取りローラ２４によって一対のテープＴが巻き取られる。この際に分岐搬送部２６から接続口２２ａを介して紙幣収納繰出カセット２２内に紙幣Ｐが送られると、この紙幣Ｐは一対のテープＴの間に挟まれ、一対のテープＴの間に紙幣Ｐが挟まれた状態でテープＴと紙幣Ｐとが一括して第２の巻き取りローラ２４により巻き取られる。このようにして、紙幣収納繰出カセット２２内に紙幣Ｐが１枚ずつ収納されることとなる。
【００３８】
また、図５乃至図７に示すような紙幣収納繰出カセット２２に収納された紙幣Ｐを、接続口２２ａを介して繰り出す場合には、各第１の巻き取りローラ２３の軸２３ａを図６等における時計回りの方向に回転させることにより各第１の巻き取りローラ２３を図６等における時計回りの方向に回転させる。このことにより、各第１の巻き取りローラ２３によって各テープＴが巻き取られ、一対のテープＴが第２の巻き取りローラ２４から巻き戻されることとなる。一対のテープＴが第２の巻き取りローラ２４から巻き戻されると、一対のテープＴの間に挟まれた紙幣Ｐは１枚ずつ接続口２２ａに投出され、分岐搬送部２６に繰り出されることとなる。
【００３９】
架台部２０における紙幣収納繰出カセット２２が収容されるべき箇所にはアダプタ（図示せず）が設けられており、紙幣収納繰出カセット２２が架台部２０に完全に装着されるとこの紙幣収納繰出カセット２２はアダプタを介して紙幣釣銭機本体３０の紙幣制御部３０ａに通信接続されるようになっている。この際に、紙幣制御部３０ａは、例えば制御部７０ｃから送られた制御信号に基づいて紙幣収納繰出カセット２２の各構成要素の制御を行うようになっている。また、紙幣検出用センサＳ２により検出された紙幣の検出結果に係る情報は紙幣制御部３０ａに送られるようになっており、紙幣制御部３０ａからＰＯＳレジスタ７０の制御部７０ｃにこの情報が送られるようになっている。
【００４０】
前述のように、架台部２０には棒金収納部２８が着脱自在に設けられており、この棒金収納部２８は架台部２０の前面から手前側に引き出し可能となっている。図３は、棒金収納部２８の構成を示す斜視図である。図３に示すように、棒金収納部２８には様々な金種の棒金硬貨および商品券等の金券類や損傷や汚損の激しい損傷紙幣や汚損硬貨を収納することができるようになっている。
【００４１】
図２に示すように、紙幣収納繰出カセット２２の側面にはＩＣチップ２２ｍが取り付けられている。そして、図４に示すように、架台部２０における紙幣収納繰出カセット２２が収容されるべき箇所にはリーダライダ部２２ｎが設けられており、紙幣収納繰出カセット２２が架台部２０に完全に装着されたときに、ＩＣチップ２２ｍに記憶された情報がリーダライダ部２２ｎにより読み取られたり、リーダライダ部２２ｎによりＩＣチップ２２ｍに情報が書き込まれたりするようになっている。リーダライダ部２２ｎは紙幣釣銭機本体３０の紙幣制御部３０ａに接続されており、この紙幣制御部３０ａを介してリーダライダ部２２ｎとＰＯＳレジスタ７０の制御部７０ｃとの間で情報の送受信が行われるようになっている。後述する紙幣の補充処理において、ＩＣチップ２２ｍには、紙幣収納繰出カセット２２に予め収納された紙幣の金種毎の枚数や金額等が記憶されるようになっており、紙幣収納繰出カセット２２が架台部２０に装着されたときにこの情報がリーダライダ部２２ｎにより自動的に読み取られるようになっている。あるいは、後述する紙幣の回収処理において、紙幣収納繰出カセット２２に送られた紙幣の金種毎の枚数や金額等の情報がリーダライダ部２２ｎによりＩＣチップ２２ｍに書き込まれるようになっていてもよい。また、ＩＣチップ２２ｍには、紙幣収納繰出カセット２２に収納される紙幣の金種毎の枚数や金額等の情報に加えて、棒金収納部２８に収納される棒金硬貨の本数や金額等の情報が記憶されるようになっていてもよい。
【００４２】
図１および図４に示すように、ＰＯＳレジスタ７０は、紙幣釣銭機本体３０や硬貨釣銭機本体５０に収納されている紙幣や硬貨の金種毎の枚数等の様々な情報を表示する表示部７０ａと、操作者が様々な指令を入力するための入力部７０ｂと、入力部７０ｂに入力された指令等に基づいて紙幣釣銭機本体３０や硬貨釣銭機本体５０等の制御を行う制御部７０ｃとを有している。また、ＰＯＳレジスタ７０にはカスタマーディスプレイ７２が設けられており、カスタマーディスプレイ７２には、入金額や釣銭額等の顧客向けの情報が表示されるようになっている。
【００４３】
前述のように、ＰＯＳレジスタ７０の制御部７０ｃは、紙幣釣銭機本体３０の紙幣制御部３０ａや硬貨釣銭機本体５０の硬貨制御部５０ａに通信接続されており、これらの紙幣制御部３０ａや硬貨制御部５０ａを介して紙幣釣銭機本体３０や硬貨釣銭機本体５０の各構成要素を制御するようになっている。また、紙幣釣銭機本体３０や硬貨釣銭機本体５０の識別部３８、５６による紙幣や硬貨の金種等の識別結果は、紙幣制御部３０ａや硬貨制御部５０ａを介して制御部７０ｃに送られるようになっている。また、紙幣収納繰出カセット２２が架台部２０に完全に装着されたときには、制御部７０ｃは紙幣制御部３０ａを介して紙幣収納繰出カセット２２の各構成要素を制御するようになっている。また、紙幣収納繰出カセット２２の紙幣検出用センサＳ２により検出された紙幣の検出結果に係る情報は紙幣制御部３０ａを介して制御部７０ｃに送られるようになっている。
【００４４】
次に、このような構成からなる本実施の形態の釣銭機１０の動作について説明する。以下に示す釣銭機１０の動作は、制御部７０ｃ、紙幣制御部３０ａおよび硬貨制御部５０ａが紙幣釣銭機本体３０、硬貨釣銭機本体５０および紙幣収納繰出カセット２２の各構成要素を制御することにより行われる。
【００４５】
まず、釣銭機１０の一般的な動作である入金処理および出金処理についてそれぞれ説明する。
【００４６】
〔入金処理〕
最初に、紙幣や硬貨を釣銭機１０に入金する場合について説明する。紙幣を釣銭機１０に入金する際に、操作者は紙幣を紙幣釣銭機本体３０の入金口３２に挿入する。入金口３２によって受け入れられた紙幣は繰込ユニット３４により機内に繰り込まれ、接続搬送部３６ｂを経由して周回搬送部３６ａに送られ、この周回搬送部３６ａにより図４における反時計回りの方向に紙幣が搬送される。この際に、周回搬送部３６ａで搬送される紙幣の金種等が識別部３８により識別される。識別部３８による紙幣の金種等の識別情報は紙幣制御部３０ａを介してＰＯＳレジスタ７０の制御部７０ｃに送られる。また、識別部３８により識別された紙幣は、その金種に対応する収納庫４０に収納される。
【００４７】
また、硬貨を釣銭機１０に入金する際に、操作者は硬貨を硬貨釣銭機本体５０の入金口５２に投入する。入金口５２によって受け入れられた硬貨は繰込機構により機内に繰り込まれ、硬貨搬送部５４により搬送される。この際に、硬貨搬送部５４で搬送される硬貨の金種等が識別部５６により識別される。識別部５６による硬貨の金種等の識別情報は硬貨制御部５０ａを介してＰＯＳレジスタ７０の制御部７０ｃに送られる。また、識別部５６により識別された硬貨は、分岐部６２により収納庫５８側に送られ、その金種に対応する収納庫５８に収納される。
【００４８】
〔出金処理〕
次に、釣銭としての紙幣や硬貨を釣銭機１０から出金する場合について説明する。紙幣を釣銭機１０から出金する際に、出金すべき紙幣の金種に対応する収納庫４０から紙幣が接続搬送部３６ｂに繰り出され、この接続搬送部３６ｂから周回搬送部３６ａに紙幣が送られ、この周回搬送部３６ａにより図４における時計回りの方向に紙幣が搬送される。そして、周回搬送部３６ａから接続搬送部３６ｂを介して放出ユニット４４に紙幣が送られ、出金口４６を介して紙幣が機外へ放出される。
【００４９】
また、硬貨を釣銭機１０から出金する際に、出金すべき硬貨の金種に対応する収納庫５８から繰出機構により硬貨搬送部５４に硬貨が繰り出され、この硬貨搬送部５４から出金口６０に硬貨が送られ、出金口６０を介して硬貨が機外へ放出される。
【００５０】
〔回収カセットによる回収処理〕
また、釣銭機１０から、紙幣釣銭機本体３０の各収納庫４０内の紙幣を全て、または、売上金相当額だけを回収する場合には、回収すべき紙幣の金種に対応する収納庫４０から紙幣が接続搬送部３６ｂに繰り出され、この接続搬送部３６ｂから周回搬送部３６ａに紙幣が送られ、この周回搬送部３６ａにより図４における時計回りの方向に紙幣が搬送される。そして、周回搬送部３６ａから接続搬送部３６ｂを介して回収カセット４２に紙幣が送られる。その後、紙幣釣銭機本体３０の前面から回収カセット４２を手前側に引き出すことにより、紙幣の回収が行われる。
【００５１】
本実施の形態の釣銭機１０の動作において、紙幣収納繰出カセット２２が架台部２０に完全に装着されて接続口２２ａが分岐搬送部２６に接続されたときに、制御部７０ｃ（または紙幣制御部３０ａ）は、（ａ）紙幣釣銭機本体３０の入金口３２により入金された紙幣を紙幣収納繰出カセット２２に一時的に保留し、その後保留された紙幣を各収納庫４０に金種別に収納させるような一時保留処理、または（ｂ）各収納庫４０に収納された紙幣を紙幣収納繰出カセット２２に一旦送り、その後紙幣収納繰出カセット２２に収納された紙幣を各収納庫４０に戻し、紙幣収納繰出カセット２２に紙幣を送る際または各収納庫４０に紙幣を戻す際に識別部３８により紙幣の計数を行うような精査処理のうち少なくともいずれか一方の処理を行うようになっている。
【００５２】
以下、一時保留処理および精査処理の詳細について説明する。
【００５３】
〔一時保留処理〕
一時保留処理は、紙幣の入金処理を行う際に、紙幣釣銭機本体３０の入金口３２により入金された紙幣を直接的に各収納庫４０に搬送するのではなく、紙幣収納繰出カセット２２に一時的に保留させるような処理のことをいう。具体的には、入金口３２によって受け入れられ、繰込ユニット３４により機内に繰り込まれた紙幣は、周回搬送部３６ａにより図４における反時計回りの方向に紙幣が搬送される。この際に、周回搬送部３６ａで搬送される紙幣の金種等が識別部３８により識別される。識別部３８により識別された紙幣は、周回搬送部３６ａから分岐搬送部３６ｃおよび分岐搬送部２６を経由して紙幣収納繰出カセット２２に収納される。具体的には、分岐搬送部２６から接続口２２ａを介して紙幣収納繰出カセット２２内に紙幣が送られると、この紙幣は一対のテープＴの間に挟まれ、一対のテープＴの間に紙幣Ｐが挟まれた状態でテープＴと紙幣Ｐとが一括して第２の巻き取りローラ２４により巻き取られる。このようにして、紙幣収納繰出カセット２２内に紙幣Ｐが１枚ずつ収納されることとなる。
【００５４】
その後、操作者がＰＯＳレジスタ７０の操作部７０ｂにより入金確定の指令を制御部７０ｃに送ると、紙幣収納繰出カセット２２における各第１の巻き取りローラ２３によって各テープＴが巻き取られ、一対のテープＴが第２の巻き取りローラ２４から巻き戻されることとなる。一対のテープＴが第２の巻き取りローラ２４から巻き戻されると、一対のテープＴの間に挟まれた紙幣Ｐは１枚ずつ接続口２２ａに投出され、分岐搬送部２６に繰り出されることとなる。分岐搬送部２６に繰り出された紙幣は分岐搬送部２６および分岐搬送部３６ｃを経由して周回搬送部３６ａに送られ、最終的に紙幣の金種に対応する収納庫４０に収納される。
【００５５】
なお、紙幣収納繰出カセット２２内に紙幣Ｐが収納された後、操作者がＰＯＳレジスタ７０の操作部７０ｂにより返却の指令を制御部７０ｃに送ると、紙幣収納繰出カセット２２から分岐搬送部２６に繰り出された紙幣は、分岐搬送部２６および分岐搬送部３６ｃを経由して周回搬送部３６ａから放出ユニット４４に送られ、出金口４６を介して紙幣が機外へ放出されることとなる。このように、入金紙幣を一旦紙幣収納繰出カセット２２に一時保留した後に返却することができるので、直接収納庫４０に収納した後に返却する場合に比べて、入金紙幣のみを確実に返却することができる。
【００５６】
〔精査処理〕
精査処理は、紙幣釣銭機本体３０の機外に紙幣を投出することなく紙幣釣銭機本体３０の各収納庫４０に収納された紙幣の計数を行うような処理のことをいう。具体的には、紙幣釣銭機本体３０の各収納庫４０から紙幣が接続搬送部３６ｂに繰り出され、この接続搬送部３６ｂから周回搬送部３６ａに紙幣が送られ、この周回搬送部３６ａにより図４における時計回りの方向に紙幣が搬送される。この際に、周回搬送部３６ａで搬送される紙幣が識別部３８により計数される。そして、識別部３８により計数が行われた紙幣は周回搬送部３６ａから分岐搬送部３６ｃおよび分岐搬送部２６を経由して紙幣収納繰出カセット２２に収納される。
【００５７】
そして、各収納庫４０に収納された紙幣が全て紙幣収納繰出カセット２２に収納されると、今度は紙幣収納繰出カセット２２から紙幣が１枚ずつ、分岐搬送部２６に繰り出されることとなる。そして、分岐搬送部２６に繰り出された紙幣は分岐搬送部２６および分岐搬送部３６ｃを経由して周回搬送部３６ａに送られ、最終的に紙幣の金種に対応する収納庫４０に収納される。
【００５８】
なお、各収納庫４０から紙幣収納繰出カセット２２に紙幣を送る際に識別部３８により紙幣の計数を行う代わりに、紙幣収納繰出カセット２２から各収納庫４０に紙幣を戻す際に識別部３８により紙幣の計数を行ってもよい。
【００５９】
また、本実施の形態の釣銭機１０の動作において、紙幣収納繰出カセット２２が架台部２０に完全に装着されて接続口２２ａが分岐搬送部２６に接続されたときに、制御部７０ｃ（または紙幣制御部３０ａ）は、上述のような一時保留処理や精査処理に加えて、以下に詳述するような補充処理、回収処理、オーバーフロー処理、および特殊券回収処理のうち少なくとも１つの処理を追加的に行うことができるようになっていてもよい。
【００６０】
以下、補充処理、回収処理、オーバーフロー処理、および特殊券回収処理の詳細について説明する。
【００６１】
〔補充処理〕
補充処理は、釣銭機１０において紙幣の入金処理や出金処理を行う前に、各収納庫４０に紙幣を予め補充しておくような処理のことをいう。具体的には、営業時間前において、釣銭機１０の架台部２０から取り外された紙幣収納繰出カセット２２に予め紙幣を収納させておき、紙幣が収納された紙幣収納繰出カセット２２を架台部２０に装着する。そして、操作者がＰＯＳレジスタ７０の操作部７０ｂにより補充処理の指令を制御部７０ｃに与えると、紙幣収納繰出カセット２２に収納された紙幣が１枚ずつ、分岐搬送部２６に繰り出される。そして、分岐搬送部２６に繰り出された紙幣は分岐搬送部２６および分岐搬送部３６ｃを経由して周回搬送部３６ａに送られ、最終的に紙幣の金種に対応する収納庫４０に収納される。紙幣収納繰出カセット２２に収納された全てまたは一部の紙幣が各収納庫４０に送られると、補充処理が終了する。
【００６２】
なお、上述のような補充処理を行うにあたり、釣銭機１０の架台部２０から取り外された紙幣収納繰出カセット２２に予め紙幣を収納させる際に、紙幣収納繰出カセット２２に取り付けられたＩＣチップ２２ｍに、収納された紙幣の金種毎の枚数や金額等の情報を記憶させておく。そして、紙幣が収納された紙幣収納繰出カセット２２を架台部２０に装着したときに、ＩＣチップ２２ｍに記憶された情報がリーダライダ部２２ｎにより読み取られる。このことにより、ＰＯＳレジスタ７０の制御部７０ｃは、リーダライダ部２２ｎにより読み取られた紙幣の枚数や金額等と、実際に紙幣収納繰出カセット２２から各収納庫４０に補充された紙幣の枚数や金額等とを比較することによって、補充処理が適切に行われたか否かを確認することができるようになる。また、ＩＣチップ２２ｍに、棒金収納部２８に収納された棒金硬貨の本数や金額等の情報が記憶されている場合には、紙幣収納繰出カセット２２を架台部２０に装着したときに、ＩＣチップ２２ｍに記憶された情報がリーダライダ部２２ｎにより読み取られ、棒金収納部２８に収納された棒金硬貨の本数や金額等の情報がＰＯＳレジスタ７０の制御部７０ｃに送られることとなる。
【００６３】
〔回収処理〕
回収処理は、紙幣釣銭機本体３０の回収カセット４２の代わりに、あるいは回収カセット４２と併用して、紙幣収納繰出カセット２２を用いて紙幣を回収するような処理のことをいう。具体的には、回収すべき紙幣の金種に対応する収納庫４０から紙幣が接続搬送部３６ｂに繰り出され、この接続搬送部３６ｂから周回搬送部３６ａに紙幣が送られ、この周回搬送部３６ａにより図４における時計回りの方向に紙幣が搬送される。そして、この紙幣は周回搬送部３６ａから分岐搬送部３６ｃおよび分岐搬送部２６を経由して紙幣収納繰出カセット２２に収納される。その後、紙幣釣銭機本体３０の前面から紙幣収納繰出カセット２２を手前側に引き出すことにより、紙幣の回収が行われる。
【００６４】
なお、上述のような回収処理を行うにあたり、各収納庫４０から紙幣収納繰出カセット２２に送られた紙幣の金種毎の枚数や金額等の情報を、リーダライダ部２２ｎによりＩＣチップ２２ｍに書き込んでもよい。このことにより、紙幣釣銭機本体３０の前面から紙幣収納繰出カセット２２を手前側に引き出し、紙幣収納繰出カセット２２を紙幣釣銭機本体３０から離間させても、この紙幣収納繰出カセット２２に取り付けられたＩＣチップ２２ｍに記憶された情報により、回収される紙幣の金種毎の枚数や金額等を確認することができるようになる。
【００６５】
〔オーバーフロー処理〕
オーバーフロー処理は、紙幣の入金処理を行う際に、入金口３２により入金され識別部３８により識別された紙幣について、当該紙幣の金種に対応する収納庫４０がフル状態であるときにこの紙幣を紙幣収納繰出カセット２２に収納させるような処理のことをいう。より具体的には、入金口３２によって受け入れられ繰込ユニット３４により機内に繰り込まれた紙幣は、接続搬送部３６ｂを経由して周回搬送部３６ａに送られ、この周回搬送部３６ａにより図４における反時計回りの方向に紙幣が搬送され、この際に、紙幣の金種等が識別部３８により識別される。ここで、識別部３８により識別された紙幣の金種に対応する収納庫４０がフル状態である場合には、この紙幣は周回搬送部３６ａから分岐搬送部３６ｃおよび分岐搬送部２６を経由して紙幣収納繰出カセット２２に収納される。その後、紙幣の出金処理が行われることにより収納庫４０がフル状態でなくなったときに、紙幣収納繰出カセット２２に収納された紙幣が収納庫４０に送られる。あるいは、紙幣釣銭機本体３０の前面から紙幣収納繰出カセット２２を手前側に引き出すことにより、オーバーフロー処理で紙幣収納繰出カセット２２に収納された紙幣を回収してもよい。
【００６６】
なお、上述のようなオーバーフロー処理の代わりに、または上述のようなオーバーフロー処理に加えて、以下に示すようなオーバーフロー処理が行われるようになっていてもよい。すなわち、各収納庫４０の内で所定の適正量を超えて紙幣が収納されている収納庫４０から、その適正量以上の紙幣、つまりオーバーフロー紙幣を繰り出して周回搬送部３６ａから分岐搬送部３６ｃおよび分岐搬送部２６を経由して紙幣収納繰出カセット２２に収納させてもよい。
【００６７】
〔特殊券回収処理〕
特殊券回収処理は、紙幣の入金処理を行う際に、収納庫４０に収納できない損券等の異常紙幣、または商品券等の紙幣以外の有価媒体を紙幣収納繰出カセット２２に収納させるような処理のことをいう。より具体的には、入金口３２によって受け入れられた紙幣や有価媒体等の紙葉類は繰込ユニット３４により機内に繰り込まれ、接続搬送部３６ｂを経由して周回搬送部３６ａに送られ、この周回搬送部３６ａにより図４における反時計回りの方向に紙葉類が搬送され、この際に、紙葉類の識別が識別部３８により行われる。ここで、識別部３８により識別された紙葉類のうち、収納庫４０に収納できない損券等の異常紙幣、または商品券等の紙幣以外の有価媒体は周回搬送部３６ａから分岐搬送部３６ｃおよび分岐搬送部２６を経由して紙幣収納繰出カセット２２に収納される。その後、紙幣釣銭機本体３０の前面から紙幣収納繰出カセット２２を手前側に引き出すことにより、特殊券回収処理で紙幣収納繰出カセット２２に収納された特殊券が回収される。
【００６８】
図８は、上述した一時保留処理、精査処理、補充処理、回収処理、オーバーフロー処理、および特殊券回収処理が、どの時間帯に行われるかについて説明している説明図である。図８に示すように、営業時間前には紙幣収納繰出カセット２２を用いて補充処理を行うことができる。また、営業時間中における紙幣の入金処理時には、紙幣収納繰出カセット２２を用いて一時保留処理、オーバーフロー処理および特殊券回収処理のうちの少なくとも１つの処理を行うことができる。なお、一時保留処理、オーバーフロー処理および特殊券回収処理を並行して行ってもよい。例えば、一時保留処理およびオーバーフロー処理を並行して行う場合には、オーバーフロー処理により、収納庫４０の内で所定の適正量を超えて紙幣が収納されている収納庫４０から、その適正量以上の紙幣、つまりオーバーフロー紙幣を繰り出して紙幣収納繰出カセット２２に収納させる。オーバーフロー紙幣は、第２の巻き取りローラ２４に巻き取られる一対のテープＴの間の領域のうち比較的軸２４ａに近い側の箇所（すなわち、接続口２２ａから遠い側）に収納されることとなる。一方、一時保留処理により紙幣収納繰出カセット２２に収納される一時保留紙幣は、第２の巻き取りローラ２４に巻き取られる一対のテープＴの間の領域のうち比較的軸２４ａから遠い側の箇所（すなわち、接続口２２ａに近い側）に収納されることとなる。このことにより、オーバーフロー紙幣を紙幣収納繰出カセット２２に収納したまま同じ紙幣収納繰出カセット２２を使用して一時保留紙幣も収納することができる。つまり、オーバーフロー処理と一時保留処理を並行して行うことができる。また、図８に示すように、営業時間後には紙幣収納繰出カセット２２を用いて精査処理および回収処理のうちの少なくとも１つの処理を行うことができる。
【００６９】
以上のように本実施の形態の釣銭機１０によれば、分岐搬送部２６に着脱自在に接続可能な接続口２２ａを有する紙幣収納繰出カセット２２が設けられており、この紙幣収納繰出カセット２２は、接続口２２ａが分岐搬送部２６に接続されたときに、分岐搬送部２６から接続口２２ａを介して送られた紙幣を収納するとともに収納された紙幣を接続口２２ａを介して分岐搬送部２６に繰り出すようになっている。そして、制御部７０ｃ（または紙幣制御部３０ａ）は、紙幣収納繰出カセット２２の接続口２２ａが分岐搬送部２６に接続されたときに、一時保留処理または精査処理のうち少なくともいずれか一方の処理を行うようになっている。このため、１個の紙幣収納繰出カセット２２を増設するだけで一時保留処理や精査処理の機能を選択的に追加することができるようになる。
【００７０】
また、本実施の形態の釣銭機１０においては、紙幣収納繰出カセット２２はテープ巻き取り式のものとなっている。具体的には、紙幣収納繰出カセット２２は、テープＴのみを巻き取る第１の巻き取りローラ２３と、一対のテープＴの間に紙幣Ｐを挟んだ状態でテープＴと紙幣Ｐとを一括して巻き取る第２の巻き取りローラ２４とを有し、第１の巻き取りローラ２３および第２の巻き取りローラ２４の間でテープＴの巻き取りおよび巻き戻しが行われることにより紙幣Ｐの収納および繰り出しが行われるようになっている。このような紙幣収納繰出カセット２２により、当該紙幣収納繰出カセット２２に収納される紙幣の金種等を、この紙幣収納繰出カセット２２に収納された順番に対応して記憶しておくことにより、紙幣収納繰出カセット２２から繰り出した後に識別部３８を通さなくても金種を特定することができるようになっている。
【００７１】
また、本実施の形態の釣銭機１０においては、紙幣収納繰出カセット２２の接続口２２ａが分岐搬送部２６に接続されたときに、制御部７０ｃ（または紙幣制御部３０ａ）は、上述のような一時保留処理や精査処理に加えて、補充処理、回収処理、オーバーフロー処理、および特殊券回収処理のうち少なくとも１つの処理を追加的に行うことができるようになっていてもよい。
【００７２】
また、本実施の形態の釣銭機１０においては、紙幣釣銭機本体３０や硬貨釣銭機本体５０（機体本体）が載置される架台部２０が設けられており、紙幣収納繰出カセット２２は架台部２０に着脱自在に装着されるようになっている。このことにより、架台部２０自体に一時保留処理や精査処理の機能を持たせることができるようになり、既設の紙幣釣銭機本体３０に対して大幅な設計変更を行わなくとも、紙幣収納繰出カセット２２を利用することができるようになる。
【００７３】
なお、本実施の形態による釣銭機１０は、上記の態様に限定されるものではなく、様々の変更を加えることができる。
【００７４】
例えば、紙幣収納繰出カセット２２は、テープ巻き取り式のものに限定されることはなく、紙幣が積層状態で集積されるようなスタッカタイプのものを紙幣収納繰出カセット２２として用いてもよい。
【００７５】
また、本実施の形態においては、釣銭機１０において、紙幣収納繰出カセット２２を用いた際に、一時保留処理または精査処理のいずれか一方の処理のみが行われるだけであってもよい。
【００７６】
また、本実施の形態の釣銭機１０では、硬貨釣銭機本体５０や棒金収納部２８の設置を省略してもよい。すなわち、本実施の形態の釣銭機１０を、紙幣の処理のみを行うものとしてもよい。
【００７７】
なお、本実施の形態の釣銭機１０は、架台部２０に対して紙幣収納繰出カセット２２を着脱自在に装着するようになっているものに限定されることはなく、紙幣釣銭機本体３０に対して紙幣収納繰出カセット２２を着脱自在に装着するようになっていてもよい。また、紙幣収納繰出カセット２２および棒金収納部２８により増設ユニットが構成されており、この増設ユニットが紙幣釣銭機本体３０や硬貨釣銭機本体５０に対して着脱自在となっていてもよい。
【符号の説明】
【００７８】
１０  釣銭機
２０  架台部
２２  紙幣収納繰出カセット
２２ａ  接続口
２２ｂ、２２ｃ  ローラ
２２ｍ  ＩＣチップ
２２ｎ  リーダライダ部
２３  第１の巻き取りローラ
２３ａ  軸
２４  第２の巻き取りローラ
２４ａ  軸
２４ｂ  スリット
２６  分岐搬送部
２８  棒金収納部
３０  紙幣釣銭機本体
３０ａ  紙幣制御部
３２  入金口
３４  繰込ユニット
３６ａ  周回搬送部
３６ｂ  接続搬送部
３６ｃ  分岐搬送部
３８  識別部
４０  収納庫
４２  回収カセット
４４  放出ユニット
４６  出金口
５０  硬貨釣銭機本体
５０ａ  硬貨制御部
５２  入金口
５４  硬貨搬送部
５６  識別部
５８  収納庫
６０  出金口
６２  分岐部
７０  ＰＯＳレジスタ
７０ａ  表示部
７０ｂ  入力部
７０ｃ  制御部
７２  カスタマーディスプレイ
Ｐ  紙幣
Ｓ１〜Ｓ３  センサ
Ｔ  テープ
【図１】
2011113372.tif 000003
【図２】
2011113372.tif 000004
【図３】
2011113372.tif 000005
【図４】
2011113372.tif 000006
【図５】
2011113372.tif 000007
【図６】
2011113372.tif 000008
【図７】
2011113372.tif 000009
【図８】
2011113372.tif 000010